(57)【要約】【課題】注射器本体の先端に注射針保持体を介して螺合された注射針を、片手で安全かつ簡単に廃棄することができる注射針用廃棄容器を提供する。【解決手段】注射器本体の先端に注射針保持体を介して螺合された注射針を廃棄するための注射針用廃棄容器であって、該容器を構成する面のうちの少なくとも１つの面において、前記注射針保持体を挿入するための挿入孔が少なくとも１個形成され、当該挿入孔の近傍には、前記注射針保持体の外周面に形成された凸部および／または凹部と噛み合うことにより、当該注射針保持体の回転を禁止する噛合部が設けられてなる注射針用廃棄容器。【選択図】図１
2005102932.tif 000002
【特許請求の範囲】
【請求項１】
注射器本体の先端に注射針保持体を介して螺合された注射針を廃棄するための注射針用廃棄容器であって、
該容器を構成する面のうちの少なくとも１つの面において、前記注射針保持体を挿入するための挿入孔が少なくとも１個形成され、
当該挿入孔の近傍には、前記注射針保持体の外周面に形成された凸部および／または凹部と噛み合うことにより、当該注射針保持体の回転を禁止する噛合部が設けられてなる注射針用廃棄容器。
【請求項２】
前記噛合部が、前記挿入孔の内周縁において、当該挿入孔の内方を向いて突設された少なくとも１つの噛合突起を含む請求項１記載の注射針用廃棄容器。
【請求項３】
前記噛合部が、前記挿入孔の内周縁から当該挿入孔の外方を向いて形成された少なくとも１つの噛合溝を含む請求項１または２記載の注射針用廃棄容器。
【請求項４】
前記挿入孔が前記容器の上面に形成され、さらに、前記容器の上面を覆う蓋が回転自在に設けられ、当該蓋には、前記挿入孔を外部に露出させるための露出孔が形成されてなる請求項１、２または３記載の注射針用廃棄容器。
【請求項５】
前記噛合部が、金属薄板を打ち抜くことにより、前記挿入孔とともに形成されてなる請求項１、２、３または４記載の注射針用廃棄容器。
【発明の詳細な説明】
【技術分野】
【０００１】
本発明は注射針用廃棄容器に関する。さらに詳しくは、注射器本体の先端に注射針保持体を介して螺合された注射針を片手で安全かつ簡単に取り外して廃棄することができる注射針用廃棄容器に関する。
【背景技術】
【０００２】
病院などで使用される注射器は、一般に、注射針を合成樹脂製の保持部（ハブ）などを介して注射器本体の吐出管に差し込んだ、いわゆる差込み式の注射器が用いられている。使用済の注射針は、１回の注射ごとに毎回新品の針と交換するために取り外されなければならない。使用済みの注射針を取り外して廃棄する作業は、作業者が直接手で注射針または保持チューブを把持して行なえば、手または指を使用済みの注射針で傷つける場合があり、好ましくない。
【０００３】
そこで、従来より、使用済みの注射針を安全に注射器本体から取り外すことができる注射針用廃棄容器が種々提案されている。このような廃棄容器として、たとえば、容器の蓋体に対し、注射器の先端に差し込まれている使用済みの注射針を取り外すために、注射針の挿入孔と連続して注射針を取り外すための係止溝が形成された使用済み注射針廃棄用容器が提案されている（たとえば、特許文献１参照）。
【０００４】
【特許文献１】特開２００３−２６００９４号公報
【発明の開示】
【発明が解決しようとする課題】
【０００５】
一方、最近では、糖尿病患者が１日に数回程度定期的に自分でインシュリンを注射するためなどに用いられる注射器として、ペン型注射器が種々提案されている。このようなペン型注射器では、注射器本体の先端に対し、注射針が注射針保持体を介して螺合されている、いわゆるねじ式の注射器が多い。
【０００６】
このようなねじ式の注射器では、使用済みの注射針を注射器本体から取り外す場合に、注射針保持体と注射器本体との螺合を解除する動作が必要であり、従来の差込み式の注射器に適用される廃棄容器を用いて取り外すことができなかった。したがって、従来では、作業に不慣れな糖尿病患者などが使用済みの注射針を直接手で取り外さなくてはならず、安全性に問題があるとともに作業に時間がかかるという問題がある。
【０００７】
本発明はかかる問題を解消するためになされたものであり、注射器本体の先端に注射針保持体を介して螺合された注射針を、片手で安全かつ簡単に取り外して廃棄することができる注射針用廃棄容器を提供することを目的とする。
【課題を解決するための手段】
【０００８】
本発明の注射針用廃棄容器は、注射器本体の先端に注射針保持体を介して螺合された注射針を廃棄するための注射針用廃棄容器であって、
該容器を構成する面のうちの少なくとも１つの面において、前記注射針保持体を挿入するための挿入孔が少なくとも１個形成され、
当該挿入孔の近傍には、前記注射針保持体の外周面に形成された凸部および／または凹部と噛み合うことにより、当該注射針保持体の回転を禁止する噛合部が設けられてなることを特徴とする。
【０００９】
前記噛合部が、前記挿入孔の内周縁において、当該挿入孔の内方を向いて突設された少なくとも１つの噛合突起を含むのが好ましい。
【００１０】
前記噛合部が、前記挿入孔の内周縁から当該挿入孔の外方を向いて形成された少なくとも１つの噛合溝を含むのが好ましい。
【００１１】
前記挿入孔が前記容器の上面に形成され、さらに、前記容器の上面を覆う蓋が回転自在に設けられ、当該蓋には、前記挿入孔を外部に露出させるための露出孔が形成されてなるのが好ましい。
【００１２】
前記噛合部が、金属薄板を打ち抜くことにより、前記挿入孔とともに形成されてなるのが好ましい。
【発明の効果】
【００１３】
本発明によれば、注射器本体の先端に注射針保持体を介して螺合された注射針を、片手で安全かつ簡単に取り外して廃棄することができる。
【発明を実施するための最良の形態】
【００１４】
つぎに図面を参照しながら本発明の注射針用廃棄容器をさらに詳細に説明する。本発明の注射針用廃棄容器の一実施の形態を示す斜視説明図、図２は図１のＩＩ−ＩＩ線断面図、図３は注射器本体の先端に注射針が螺合されたペン型注射器の分解斜視図、図４は図１の廃棄容器の挿入孔に注射器本体の先端に螺合された注射針を挿入した状態を示す斜視説明図、図５は図４の注射器本体から取り外された注射針が廃棄容器の挿入孔内部に留まっている状態を示す説明図、図６は図１の廃棄容器の複数本の噛合突起および噛合溝からなる噛合部を有する挿入孔の平面図および図７は本発明の他の実施の形態を示す２本の噛合溝からなる噛合部を有する挿入孔の平面図である。
【００１５】
図１〜２に示される注射針用廃棄容器は、図３に示される、注射器本体２２の先端に注射針保持体２３を介して注射針２４が螺合されたペン型注射器２１の注射針２４を廃棄するための容器である。この廃棄容器は、容器本体１と、該容器本体１の上面を覆う蓋２とからなる。容器本体１の上面３には、注射針保持体２３を挿入するための挿入孔４が容器本体１の軸方向の中心から外れた位置に１個形成されている。
【００１６】
なお、本実施の形態では、１個の挿入孔４が容器本体１の上面３に形成されているが、本発明はこれに限定されるものではなく、廃棄容器を構成する面のうちの少なくとも１つの面において、前記注射針保持体を挿入するための挿入孔が少なくとも１個形成されていればよく、たとえば、容器本体の上面に複数個の挿入孔を形成してもよいし、また、容器本体の側面に挿入孔を形成してもよい。
【００１７】
挿入孔４は、注射針保持体２３の外形とほぼ同じ大きさを有しており、該挿入孔４の近傍には、注射針保持体２３の外周面に形成された凸部２３ａおよび／または凹部２３ｂと噛み合うことにより、当該注射針保持体２３の回転を禁止する噛合部が設けられている。本実施の形態の噛合部は、図４〜６に示されるように、挿入孔４の内周縁に当該挿入孔４の内方を向いて突設された複数本の噛合突起５と、前記挿入孔４の内周縁から当該挿入孔４の外方を向いて形成された複数本の噛合溝６とからなる。
【００１８】
容器本体１は、たとえばブリキまたはスチールなどの金属製の缶などからなり、円筒状の胴体の上下に天板および底板が巻き締められることにより、容器本体１が作製されている。なお、容器本体１の形状や寸法は、本発明において、とくに限定されるものではなく、たとえば円筒形状以外に、立方体や直方体などの他の形状を採用することができる。
【００１９】
本実施の形態では、さらに、図１〜２に示されるように、容器本体１の上面３を覆う蓋２が回転自在に設けられている。この蓋２は容器本体１にネジ込むようにしてもよいし、単に容器本体１の上面を摺動させるようにしてもよい。蓋２は、容器本体１と同様に金属で作製してもよいし、合成樹脂など他の材質で作製してもよい。
【００２０】
蓋２には、容器本体１上面の挿入孔４を外部に露出させるための露出孔７が形成されている。露出孔７は、挿入孔４よりも若干大きく、容器本体１の軸方向の中心から挿入孔４までの距離と同じ距離程度、当該容器本体１の軸方向の中心から外れた位置に形成されている。したがって、廃棄容器の挿入孔４は、廃棄容器を使用しないときは蓋２で覆い隠すことができ、容器内部に蓄積された使用済の注射針などが外部にこぼれ出る心配がない。また、誤って挿入孔４の噛合突起５に触れて、ケガをするのを防ぐことができる。一方、廃棄容器を使用するときには、蓋２を回転させて露出孔７と挿入孔４の位置を一致させるだけで、挿入孔４を容易に外部に露出させることができ、使用済の注射針などを廃棄することができる。なお、本実施の形態では、蓋２に露出孔７を形成しているが、形成しなくてもよい。
【００２１】
噛合突起５は、注射針保持体２３の外周に形成された凹部２３ｂに噛み合うことにより、注射針保持体２３の回転を止めることができる程度の寸法および本数が選定されていればよい。
【００２２】
噛合溝６は、注射針保持体２３の外周に形成された凸部２３ａと噛み合うことにより、注射針保持体２３の回転を止めることができる程度の寸法および本数が選定されていればよい。
【００２３】
本実施の形態では、図５に示されるように、複数本の噛合突起５および噛合溝６が放射状に配置されているが、本発明はこれに限定されるものではなく、注射針保持体２３の外周面に形成された凸部２３ａおよび／または凹部２３ｂと噛み合うことにより、当該注射針保持体の回転を禁止することができれば、種々の態様を採用することができる。すなわち、噛合部５および噛合溝６は、いずれか一方だけを形成することもできるし、その数は１つでもよいし、複数であってもよい。たとえば、本発明の他の実施の形態として、図７に示されるように、前記注射針保持体２３の外周面に凸部２３ａが２本形成されている場合に対応して、噛合溝６を２本有する噛合部を採用しても注射針保持体２３の回転を禁止することができる。また、これとは逆に、２本の噛合突起５を対向する位置に形成し、この噛合突起５を注射針保持体２３の外周の凹部２３ｂと噛み合わせて当該注射針保持体２３の回転を禁止するようにすることもできる。
【００２４】
前記噛合突起５および噛合溝６を含む噛合部は、容器本体１の上面を構成する金属薄板を打ち抜くことにより、挿入孔４とともに形成すれば、容易にかつ少ない工程で形成することができる。
【００２５】
図３に示されるペン型注射器２１は、糖尿病患者が１日に数回程度定期的に自分でインシュリンを注射するためなどに用いられる注射器として、広く世界的に市販されているものである。このペン型注射器２１では、注射器本体２２の先端に形成されたおねじ部２５に、注射針２４が固着された注射針保持体２３の内周面に形成されためねじ部２６を螺合させることにより、注射針保持体２３を注射器本体２２の先端に着脱自在に螺合することができる。
【００２６】
以上のように構成された廃棄容器を用いて、図３のペン型注射器２１の注射器本体２２の先端に螺合された注射針（具体的には、注射針２４が固着された注射針保持体２３）を使用後に取り外して廃棄する場合、蓋２を回転させて露出孔７を挿入孔４に合わせたのち、図４に示されるように、ペン型注射器２１を下向きにして、注射針保持体２３を挿入孔４に挿入する。それにより、注射針保持体２３の外周面に形成された凹部２３ｂおよび凸部２３ａがそれぞれ、挿入孔４内周縁の噛合突起５および噛合溝６がそれぞれ噛合し、注射針保持体２３が回転できないように固定される。この状態で、ペン型注射器２１を片手で回転させれば、注射器本体２２のみ回転し、噛合突起５および噛合溝６により固定された注射針保持体２３は注射器本体２２との噛合が解除される。
【００２７】
そののち、注射器本体２２を持ち上げれば、図５に示されるように、注射針保持体２３の外周面における凹部２３ｂが形成されていないフランジ部２３ｃが噛合突起５に係合した状態で、注射針保持体２３は挿入孔４内部に留まっている。挿入孔４内部に留まっている注射針保持体２３は、たとえば次回に使用済の注射針を廃棄する際に、廃棄容器内部に押し込まれて容器底部に落とされる。この場合に、本実施の形態における噛合突起５は弾性を有しており、バネのような機能を有するので、注射針を落とし込んだのちに、たとえ容器を逆さにしたとしても、挿入孔４から注射針が抜け出るのを確実に防ぐことができる。
【００２８】
なお、注射針保持体２３にフランジ部２３ｃがなく、凹部２３ｂが保持体の全長にわたって形成されている場合には、注射針保持体２３は、注射器本体２２との噛合が解除されると同時に、廃棄容器の底部に落下する。
【００２９】
注射針の廃棄完了後、蓋２を回転させて露出孔７を挿入孔４と重ならない位置まで移動させれば、挿入孔４は蓋２により外部から覆い隠される。
【図面の簡単な説明】
【００３０】
【図１】本発明の注射針用廃棄容器の一実施の形態を示す斜視説明図である。
【図２】図１のＩＩ−ＩＩ線断面図である。
【図３】注射器本体の先端に注射針が螺合されたペン型注射器の分解斜視図である。
【図４】図１の廃棄容器の挿入孔に注射器本体の先端に螺合された注射針を挿入した状態を示す斜視説明図である。
【図５】図４の注射器本体から取り外された注射針が廃棄容器の挿入孔内部に留まっている状態を示す説明図である。
【図６】図１の廃棄容器の複数本の噛合突起および噛合溝からなる噛合部を有する挿入孔の平面図である。
【図７】本発明の他の実施の形態を示す２本の噛合溝からなる噛合部を有する挿入孔の平面図である。
【符号の説明】
【００３１】
１  容器本体
２  蓋
３  上面
４  挿入孔
５  噛合突起
６  噛合溝
【図１】
2005102932.tif 000003
【図２】
2005102932.tif 000004
【図３】
2005102932.tif 000005
【図４】
2005102932.tif 000006
【図５】
2005102932.tif 000007
【図６】
2005102932.tif 000008
【図７】
2005102932.tif 000009